(57)【要約】【課題】土質に対応可能で、適切な畦塗り作業ができる畦塗り機を提供する。【解決手段】畦塗り機１は、土を盛り上げる回転可能な盛土体３と、盛土体３による盛土を締め固めて畦を形成する回転可能な畦形成体４とを備える。また、この畦塗り機１は、盛土体３が正方向に回転する正転状態と盛土体３が逆方向に正転状態時に比べて速い回転速度で回転する逆転状態とに選択的に切り換え可能となっている。【選択図】図１
2010161958.tif 000002
【特許請求の範囲】
【請求項１】
土を盛り上げる回転可能な盛土体と、
この盛土体にて盛り上げられた土を締め固めて畦を形成する畦形成体とを備え、
前記盛土体が正方向に回転する正転状態と前記盛土体が逆方向に回転する逆転状態とに選択的に切り換え可能となっている
ことを特徴とする畦塗り機。
【請求項２】
盛土体に動力を供給して前記盛土体を回転させる動力伝達手段を備え、
前記動力伝達手段の動力伝達経路の変更により、前記盛土体が正方向に回転する正転状態と前記盛土体が逆方向に正転状態時に比べて速い回転速度で回転する逆転状態とに選択的に切り換え可能となっている
ことを特徴とする請求項１記載の畦塗り機。
【請求項３】
動力伝達手段は、
第１回転軸と、
この第１回転軸に脱着可能に取り付けられた第１ギアと、
前記第１回転軸と平行に位置する第２回転軸と、
この第２回転軸に脱着可能に取り付けられ、前記第１ギアより径大な第２ギアと、
前記第１回転軸と平行に位置する第３回転軸と、
この第３回転軸に取り付けられた第３ギアとを有し、
正転状態時には、前記第１回転軸に取り付けられた前記第１ギアと前記第２回転軸に取り付けられた前記第２ギアとが噛み合い、かつ前記第２回転軸に取り付けられた前記第２ギアと前記第３回転軸に取り付けられた前記第３ギアとが噛み合った状態で、前記第１ギア、前記第２ギアおよび前記第３ギアを経て動力が盛土体に供給されてこの盛土体が正方向に回転し、
逆転状態時には、前記第１回転軸に取り付けられた前記第２ギアと前記第２回転軸に取り付けられた前記第１ギアとが噛み合い、かつ前記第１回転軸に取り付けられた前記第２ギアと前記第３回転軸に取り付けられた前記第３ギアとが噛み合った状態で、前記第２ギアおよび前記第３ギアを経て動力が盛土体に供給されてこの盛土体が逆方向に正転状態時に比べて速い回転速度で回転する
ことを特徴とする請求項２記載の畦塗り機。
【請求項４】
盛土体は、
正転用取付部を軸方向一端側に有しかつ逆転用取付部を軸方向他端側に有する回転軸と、
この回転軸に取り付けられた盛土爪とを有し、
正転状態時には、前記回転軸の正転用取付部が動力伝達手段の第３回転軸に取り付けられ、
逆転状態時には、前記回転軸の逆転用取付部が前記動力伝達手段の第３回転軸に取り付けられる
ことを特徴とする請求項３記載の畦塗り機。
【発明の詳細な説明】
【技術分野】
【０００１】
本発明は、土質に対応可能で、適切な畦塗り作業ができる畦塗り機に関する。
【背景技術】
【０００２】
従来、例えば下記の特許文献１に記載された畦塗り機が知られている。
【０００３】
この従来の畦塗り機は、土を盛り上げる回転可能な盛土体と、盛土体にて盛り上げられた土を締め固めて畦を形成する回転可能な畦形成体と、盛土体および畦形成体に動力を供給してこれら盛土体および畦形成体を所定方向に回転させる動力伝達手段とを備え、盛土体がその動力伝達手段からの動力で常に正方向（ダウンカット方向）に回転する構成となっている。
【先行技術文献】
【特許文献】
【０００４】
【特許文献１】特開平１０−２６２４０７号公報
【発明の概要】
【発明が解決しようとする課題】
【０００５】
しかしながら、上記従来の畦塗り機のように盛土体が常に正方向に回転する構成では、土質に対応できず、例えば湿った土には適しているが、乾いた土には適さない問題がある。
【０００６】
本発明は、このような点に鑑みなされたもので、土質に対応可能で、適切な畦塗り作業ができる畦塗り機を提供することを目的とする。
【課題を解決するための手段】
【０００７】
請求項１記載の畦塗り機は、土を盛り上げる回転可能な盛土体と、この盛土体にて盛り上げられた土を締め固めて畦を形成する畦形成体とを備え、前記盛土体が正方向に回転する正転状態と前記盛土体が逆方向に回転する逆転状態とに選択的に切り換え可能となっているものである。
【０００８】
請求項２記載の畦塗り機は、請求項１記載の畦塗り機において、盛土体に動力を供給して前記盛土体を回転させる動力伝達手段を備え、前記動力伝達手段の動力伝達経路の変更により、前記盛土体が正方向に回転する正転状態と前記盛土体が逆方向に正転状態時に比べて速い回転速度で回転する逆転状態とに選択的に切り換え可能となっているものである。
【０００９】
請求項３記載の畦塗り機は、請求項２記載の畦塗り機において、動力伝達手段は、第１回転軸と、この第１回転軸に脱着可能に取り付けられた第１ギアと、前記第１回転軸と平行に位置する第２回転軸と、この第２回転軸に脱着可能に取り付けられ、前記第１ギアより径大な第２ギアと、前記第１回転軸と平行に位置する第３回転軸と、この第３回転軸に取り付けられた第３ギアとを有し、正転状態時には、前記第１回転軸に取り付けられた前記第１ギアと前記第２回転軸に取り付けられた前記第２ギアとが噛み合い、かつ前記第２回転軸に取り付けられた前記第２ギアと前記第３回転軸に取り付けられた前記第３ギアとが噛み合った状態で、前記第１ギア、前記第２ギアおよび前記第３ギアを経て動力が盛土体に供給されてこの盛土体が正方向に回転し、逆転状態時には、前記第１回転軸に取り付けられた前記第２ギアと前記第２回転軸に取り付けられた前記第１ギアとが噛み合い、かつ前記第１回転軸に取り付けられた前記第２ギアと前記第３回転軸に取り付けられた前記第３ギアとが噛み合った状態で、前記第２ギアおよび前記第３ギアを経て動力が盛土体に供給されてこの盛土体が逆方向に正転状態時に比べて速い回転速度で回転するものである。
【００１０】
請求項４記載の畦塗り機は、請求項３記載の畦塗り機において、盛土体は、正転用取付部を軸方向一端側に有しかつ逆転用取付部を軸方向他端側に有する回転軸と、この回転軸に取り付けられた盛土爪とを有し、正転状態時には、前記回転軸の正転用取付部が動力伝達手段の第３回転軸に取り付けられ、逆転状態時には、前記回転軸の逆転用取付部が前記動力伝達手段の第３回転軸に取り付けられるものである。
【発明の効果】
【００１１】
請求項１に係る発明によれば、盛土体が正方向に回転する正転状態と盛土体が逆方向に回転する逆転状態とに選択的に切り換えることができるため、土質に対応可能で、適切な畦塗り作業ができる。
【００１２】
請求項２に係る発明によれば、動力伝達手段の動力伝達経路の変更により盛土体が正方向に回転する正転状態と盛土体が逆方向に正転状態時に比べて速い回転速度で回転する逆転状態とに選択的に切り換えることができるため、土質に適切に対応可能で、より一層適切な畦塗り作業ができる。
【００１３】
請求項３に係る発明によれば、正転状態時には第１ギアを第１回転軸に取り付けるとともに第２ギアを第２回転軸に取り付け、逆転状態時には第２ギアを第１回転軸に取り付けるとともに第１ギアを第２回転軸に取り付けることにより、簡単な構成で動力伝達手段の動力伝達経路を容易に変更でき、正転状態から逆転状態への切り換えおよび逆転状態から正転状態への切り換えを容易に行うことができる。
【００１４】
請求項４に係る発明によれば、正逆回転に対応できる特殊な盛土爪を用いる必要がなく、特殊な盛土爪より安価な通常の盛土爪を用いることができる。
【図面の簡単な説明】
【００１５】
【図１】本発明の一実施の形態に係る畦塗り機の平面視断面図である。
【図２】同上畦塗り機の非作業時の平面図である。
【図３】同上畦塗り機の側面図である。
【図４】同上畦塗り機の正転状態時（ダウン回転時）のギヤ取付状態を示す側面視図である。
【図５】同上畦塗り機の逆転状態時（アップ回転時）のギヤ取付状態を示す側面視図である。
【図６】同上畦塗り機の逆転状態時（アップ回転時）のギヤ取付状態を示す平面視図である。
【図７】ダウンカット方向およびアップカット方向の両回転方向に対応できる特殊な盛土爪の一例を示す図である。
【図８】本発明の他の実施の形態に係る畦塗り機の前進作業時の平面図である。
【図９】同上畦塗り機のバック作業時の平面図である。
【発明を実施するための形態】
【００１６】
本発明の畦塗り機の一実施の形態を図面を参照して説明する。
【００１７】
図１ないし図３において、１は畦塗り機で、この畦塗り機１は圃場を走行可能な走行車であるトラクタ（図示せず）の後部に連結されて使用される牽引式のものである。なお、図１に畦塗り機１の作業状態が示され、図２に畦塗り機１の非作業状態が示されている。
【００１８】
畦塗り機１は、トラクタの後部の３点リンク（作業機昇降支持装置）に連結された機体２と、機体２に回転可能に設けられ水平な左右方向の軸線を中心として回転しながら田面および畦（元畦）の土を耕耘しこの耕耘土を元畦の畦側面および畦上面に盛り上げるロータリ式の盛土体３と、機体２に回転可能に設けられ水平な左右方向の軸線を中心として回転しながら盛土体３の進行方向後方で盛土体３にて盛り上げられた土を締め固めて新たな畦（新畦）を形成する畦形成体４とを備えている。
【００１９】
また、畦塗り機１は、トラクタからの動力を伝達しこの動力を盛土体３および畦形成体４に供給してこれら盛土体３および畦形成体４を同時に回転させる動力伝達手段５を備え、この動力伝達手段５の動力伝達経路の変更により盛土体３が正方向であるダウンカット方向（トラクタの車輪の回転方向と同じ回転方向）に回転する正転状態と盛土体３が逆方向であるアップカット方向に正転状態時に比べて速い回転速度で回転する逆転状態とに選択的に切り換え可能となっている。
【００２０】
機体２は、トラクタの後部の３点リンクに連結された固定機枠７を有している。固定機枠７は軸保持部８を有し、この軸保持部８にて入力軸10が回転可能に支持され、この入力軸10はトラクタのＰＴＯ軸にジョイントおよび伝動シャフト等を介して接続されている。
【００２１】
また、固定機枠７には互いに平行な１対の回動アーム（平行リンク）11の一端部が回動可能に取り付けられ、これら回動アーム11の他端部には伝動ケース機能を有する可動機枠12が回動可能に取り付けられている。さらに、可動機枠12を作業位置および非作業位置に選択的に位置決めするための位置決め用アーム13の一端部が固定機枠７に回動可能に取り付けられ、この位置決め用アーム13の他端部が可動機枠12に回動可能に取り付けられている。
【００２２】
可動機枠12は、ミッションケース等からなる軸保持部16を有し、この軸保持部16にて入力軸10にジョイント17を介して接続された中間入力軸18が回転可能に支持されている。
【００２３】
また、可動機枠12は、畦形成体４を回転可能に支持する畦形成体側伝動ケース部21を有している。畦形成体側伝動ケース部21は、第１軸ケース22、チェーンケース23および第２軸ケース24を有している。
【００２４】
第１軸ケース22内には伝動軸25が配設され、この伝動軸25の軸保持部16内に位置する一端部にはベベルギア26が固着され、このベベルギア26が中間入力軸18に固着されたベベルギア27と噛み合っている。伝動軸25のチェーンケース23内に位置する他端部にはスプロケット28が固着されている。
【００２５】
第２軸ケース24内には伝動軸29が配設され、この伝動軸29のチェーンケース23内に位置する一端部にはスプロケット30が固着され、そのチェーンケース23内で互いに離間対向した両スプロケット28，30にはチェーン31が掛け渡されている。伝動軸29の他端部には畦形成体４の水平な左右方向の駆動軸である回転軸33が伝動軸29と同軸状に連結され、この回転軸33に畦形成部材34が取り付けられている。
【００２６】
畦形成部材34は、回転軸33とともに所定方向に回転しながら盛土体３による盛土を締め固めて水平面に対して田面側に向って下り傾斜面状の畦側面を形成する略円錐台状の畦側面形成部（側面ディスク）35と、この畦側面形成部35の縮径側端側に設けられ回転軸33とともに所定方向に回転しながら盛土体３による盛土を締め固めて水平面状の畦上面を形成する略円柱状（中空でも中実でもよい）の畦上面形成部（上面ローラ）36とを有している。畦側面形成部35は、例えば略扇形状の複数枚の作用板等にて構成されている。
【００２７】
さらに、可動機枠12は、盛土体３を回転可能に支持する盛土体側伝動ケース部41を有している。盛土体側伝動ケース部41は、軸ケース42およびチェーンケース（伝動ケース）43を有し、このチェーンケース43は第１ギア収納部44、チェーン収納部45および第２ギア収納部46にて構成されている。第２ギア収納部46は側面に開口部46aを有し、この開口部46aが開閉蓋47にて開閉可能に閉じられている。
【００２８】
軸ケース42内には伝動軸48が配設され、この伝動軸48の軸保持部16内に位置する一端部にはベベルギア49が固着され、このベベルギア49が中間入力軸18に固着されたベベルギア27と噛み合っている。伝動軸48の第１ギア収納部44内に位置する他端部にはギア50が固着され、このギア50は第１ギア収納部44内の伝動軸51に固着されたギア52と噛み合っている。伝動軸51にはスプロケット53が固着されている。
【００２９】
また、図４にも示されるように、チェーンケース43の第２ギア収納部46内には、水平な左右方向の第１回転軸（駆動軸）54、第１回転軸54に脱着可能に取り付けられた第１ギア55、第１回転軸54と平行に位置する第２回転軸（カウンター軸）56、第２回転軸56に脱着可能に取り付けられ第１ギア55より径大な第２ギア57、第１回転軸54と平行に位置する第３回転軸（従動軸）58、およびこの第３回転軸58に固着され第２ギア57より径大な第３ギア59がそれぞれ回転可能に配設されている。
【００３０】
第１回転軸54にはスプロケット60が固着され、互いに離間対向した両スプロケット53，60にチェーン61が掛け渡され、このチェーン61はチェーン収納部45内に配設されている。そして、図４では第１回転軸54には第１ギア55が脱着可能に取り付けられているが、第１ギア55を第１回転軸54から取り外しこの第１ギア55に代えて第２ギア57を第１回転軸54に脱着可能に取り付けることが可能となっている。また同様に、図４では第２回転軸56には第２ギア57が脱着可能に取り付けられているが、第２ギア57を第２回転軸56から取り外しこの第２ギア57に代えて第１ギア55を第２回転軸56に脱着可能に取り付けることが可能である。
【００３１】
そして、図４に示す正転状態時には、第１回転軸54に取り付けられた第１ギア55と第２回転軸56に取り付けられた第２ギア57とが噛み合い、かつ第２回転軸56に取り付けられた第２ギア57と第３回転軸58に固着された第３ギア59とが噛み合った状態で、第１ギア55、第２ギア57および第３ギア59を経て動力伝達手段５から動力が盛土体３に供給されてこの盛土体３がダウンカット方向に駆動回転する。なおこのとき、第１ギア55と第３ギア59とは噛み合っていない。
【００３２】
また、図５および図６に示す逆転状態時には、第１ギヤ55および第２ギア57の位置替え（動力伝達手段５の動力伝達経路の変更）によって、第１回転軸54に取り付けられた第２ギア57と第２回転軸56に取り付けられた第１ギア55とが噛み合い、かつ第１回転軸54に取り付けられた第２ギア57と第３回転軸58に固着された第３ギア59とが噛み合った状態で、第１ギア55を経由することなく第２ギア57および第３ギア59を経て動力伝達手段５から動力が盛土体３に供給されてこの盛土体３がアップカット方向に正転状態時に比べて速い回転速度で駆動回転する。なおこのとき、第１ギア55と第３ギア59とは噛み合っておらず、第１ギア55は空回りしている。
【００３３】
なお、入力軸10、ジョイント17、中間入力軸18、ベベルギア26，27，49、伝動軸25，29，48，51、スプロケット28，30，53，60、チェーン31，61、ギア50，52、第１ないし第３回転軸54，56，58および第１ないし第３ギア55，57，59等にて、トラクタからの動力を盛土体３および畦形成体４まで伝達する動力伝達手段５が構成されている。また、第１回転軸54の軸芯と第３回転軸58の軸芯との間の距離Ａと第２回転軸54の軸芯と第３回転軸58の軸芯との間の距離Ｂとが同じである。さらに、可動機枠12には、図２に示されるように畦形成体の一部を覆うカバー体62やゲージ輪63等が取り付けられている。
【００３４】
さらに、図１に示されるように、盛土体３は、正転用取付部65を軸方向一端側に有しかつ逆転用取付部66を軸方向他端側に有する水平な左右方向の駆動軸である回転軸67と、この回転軸67に取り付けられた複数の耕耘爪である盛土爪68とを有している。正転用取付部65にはボルト挿通用の正転用孔69が形成され、逆転用取付部にはボルト挿通用の逆転用孔70が形成されている。各盛土爪68は、略湾曲板状で一方向の回転にのみ対応する通常の爪にて構成されている。また、盛土体３の一部はカバー体72にて覆われている。
【００３５】
そして、ボルトおよびナット等からなる取付手段71により、正転状態時には回転軸67の正転用取付部65が動力伝達手段５の第３回転軸58の第２ギア収納部46内から突出した突出端部に脱着可能に取り付けられ、その一方、逆転状態時には盛土体３の反転により回転軸67の逆転用取付部66が第３回転軸58の突出端部に脱着可能に取り付けられる。
【００３６】
なお、図７にはダウンカット方向およびアップカット方向の正逆回転に対応できる特殊な盛土爪（正逆転爪）68が示され、この盛土爪68は略コ字状をなすうちわ形状の爪にて構成されている。この特殊な盛土爪68を用いる場合には盛土体３の反転が不要である。また、取付手段71は任意でボルトおよびナット以外に、ピン等でもよい。
【００３７】
次に、上記畦塗り機１の作用等を説明する。
【００３８】
例えば畦の土が水分を多く含む湿った土である場合は、図４に示すように、第１ギア55を第１回転軸54に取り付けかつ第２ギア57を第２回転軸56に取り付けることにより、盛土体３がダウンカット方向に回転する正転状態に設定する。また、取付手段71を用いて盛土体３の回転軸67の正転用取付部65を動力伝達手段５の第３回転軸58に取り付ける。
【００３９】
そして、この状態で畦塗り機１をトラクタの走行により畦に沿って進行方向へ移動させると、ダウンカット方向に回転する盛土体３にて所望量の土が元畦の畦側面および畦上面に盛り上げられ、この盛土が畦形成体４にて締め固められて強固な新畦が形成される。
【００４０】
このとき、盛土体３をダウンカット方向に回転させる動力は、動力伝達手段５の第１ギア55、第２ギア57および第３ギア59を順次経て第３回転軸58に伝達され、その結果、盛土体３が第３回転軸58とともに所定の正転回転速度で駆動回転する。
【００４１】
また、例えば畦の土が水分の少ない乾いた土である場合は、図５に示すように、第１ギア55を第２回転軸56に取り付けかつ第２ギア57を第１回転軸54に取り付けることにより、盛土体３がアップカット方向に回転する逆転状態に設定する。また、取付手段71を用いて盛土体３の回転軸67の逆転用取付部66を動力伝達手段５の第３回転軸58に取り付ける。
【００４２】
そして、この状態で畦塗り機１をトラクタの走行により畦に沿って進行方向へ移動させると、アップカット方向に回転する盛土体３にて所望量の土が元畦の畦側面および畦上面に盛り上げられ、この盛土が畦形成体４にて締め固められて強固な新畦が形成される。
【００４３】
このとき、盛土体３をアップカット方向に回転させる動力は、第１ギア55を経由することなく、第２ギア57および第３ギア59を順次経て第３回転軸58に伝達され、その結果、盛土体３が第３回転軸58とともに所定の逆転回転速度で駆動回転する。この逆転回転速度は、正転回転速度よりも速い速度である。
【００４４】
そして、畦塗り機１によれば、第１回転軸54および第２回転軸56に対する第１ギヤ55および第２ギア57の位置替えに基づく動力伝達手段５の動力伝達経路の変更により、盛土体３が左右方向の軸線を中心としてダウンカット方向（正方向）に回転する正転状態と盛土体３が左右方向の軸線を中心としてアップカット方向（逆方向）に正転状態時に比べて速い回転速度で回転する逆転状態とに選択的に切り換えることができるため、すべての土質に適切に対応可能で、適切な畦塗り作業ができる。
【００４５】
また、正転状態時には第１ギア55を第１回転軸54に取り付けるとともに第２ギア57を第２回転軸56に取り付け、逆転状態時には第２ギア57を第１回転軸54に取り付けるとともに第１ギア55を第２回転軸56に取り付けることにより、変速レバー等が不要な簡単な構成で製造コストの低減および軽量化を図れるばかりでなく、動力伝達手段５の動力伝達経路を簡単に変更でき、正転状態から逆転状態への切り換えおよび逆転状態から正転状態への切り換えを簡単に行うことができ、しかも、逆転状態時に不要な第１ギア55は第２回転軸56に取り付けておけばよく、不要な第１ギア55の置き場所を別途設ける必要もない。
【００４６】
なお、上記一実施の形態ではバック作業できない構成について説明したが、例えば図８および図９に示すバック作業可能な構成でもよい。
【００４７】
例えば図８および図９に示す他の実施の形態の畦塗り機１では、１本の回動アーム11の一端部が固定機枠７に回動可能に取り付けられ他端部が可動機枠12に回動可能に取り付けられ、可動機枠12が前進作業位置とバック作業位置とに選択的に移動可能となっている。また、この畦塗り機１では、可動機枠12の第２ギア収納部46内に第１ないし第３回転軸54，56，58および第１ないし第３ギア55，57，59が配設されている。
【００４８】
そして、この他の実施の形態の畦塗り機１でも、上記一実施の形態と同様、第１ギヤ55および第２ギア57の位置替えに基づく動力伝達手段５の動力伝達経路の変更により、盛土体３が前後方向の軸線を中心として正方向であるダウンカット方向（進行方向前方からみて左回りの回転方向）に回転する正転状態と盛土体３が前後方向の軸線を中心として逆方向であるアップカット方向（進行方向前方からみて右回りの回転方向）に正転状態時に比べて速い回転速度で回転する逆転状態とに選択的に切り換え可能となっており、上記一実施の形態と同様の作用効果を奏することができる。
【符号の説明】
【００４９】
１    畦塗り機
３    盛土体
４    畦形成体
５    動力伝達手段
54    第１回転軸
55    第１ギア
56    第２回転軸
57    第２ギア
58    第３回転軸
59    第３ギア
65    正転用取付部
66    逆転用取付部
67    回転軸
68    盛土爪
【図１】
2010161958.tif 000003
【図２】
2010161958.tif 000004
【図３】
2010161958.tif 000005
【図４】
2010161958.tif 000006
【図５】
2010161958.tif 000007
【図６】
2010161958.tif 000008
【図７】
2010161958.tif 000009
【図８】
2010161958.tif 000010
【図９】
2010161958.tif 000011